(57)【特許請求の範囲】
【請求項１】
棒状の本体部と、
前記本体部の前端部に当該本体部の前端よりさらに延出させて嵌着した管状の布片把持体と
を備えてなり、
前記布片把持体は、軟質摩擦性ゴム製で管状の部材の前端を切り割り形状に形成されており、
前記布片把持体を吸湿布に押し当てて前記本体部を捻ることにより、前記布片把持体に吸湿布を絡ませて前記本体部の前端部付近に巻き付けることができるとともに、巻き付いた吸湿布を緩めることにより簡単に外すことができるようにしたことを特徴とする
フルート用掃除棒。
【発明の詳細な説明】
【技術分野】
【０００１】
この発明は、フルート管体内部に溜まる水滴を拭き取るために使用するフルート用の掃除棒に関し、使用に際して水滴拭き取り用のガーゼなどの吸湿布を巻き付けやすく、かつ楽器管体内側の角部まで拭き取れるとともに、拭き取り作業中に楽器を傷つけないように工夫したものである。
【背景技術】
【０００２】
吹奏楽器であるフルートは、他の木管楽器と同様に、演奏者が楽器の管体に息を吹き込みながら鳴らすものであるため、演奏中に楽器管体の内部に水滴が溜まってきて、それが溜まりすぎると演奏に支障を来す事態に至ることになる。水滴の溜まる具合は、湿度や温度の関係で一概にはいえないが、演奏を１０分程度も続けると、フルートの足部管の開口端から水滴が外に滴り落ちるようになることもある。また、音階の音の高さを変えるための複数の音孔を開閉するタンポに水滴が多量に付着すると、そのタンポが正常に機能しなくなって、その高さの音が正常に出せなくなることもある。
【０００３】
フルート管体の内部に溜まった水滴は、掃除棒と呼ばれる棒状の用具の前端にガーゼなどの吸湿布を巻き付けてフルート管体の内部に押し込んで回転させたり出し入れしたりして、拭き取る。フルート用の掃除棒は、通常３６ｃｍの長さに作られており、全長約７０ｃｍあるフルートは、頭部管、胴部管、足部管の３つに分解して、それぞれの管体ごとに管体内部の水滴を拭き取る作業をする。
【０００４】
従来の掃除棒は、図１に示す構造をしており、掃除棒１０は、木材や硬質合成樹脂製の長尺棒状体１の前端付近に僅かに扁平で幅広に形成された布片保持部２を有し、布片保持部２には細長い布片通し孔３が開けられており、使用時には布片通し孔３にガーゼなどの吸湿布を通してから掃除棒１０の棒状体１をその長手軸を中心に回してそのガーゼなどを掃除棒１０に巻き付けた状態で、楽器管体の中に押し込み、管体の内壁に付いた水滴を拭き取る。図２は、フルートの頭部管２０の吹き込み口２１近傍の構造を、部分断面図で図解しており、掃除棒を使用する際に、掃除棒の布片保持部２にガーゼなどをうまく膨らませた形に巻き付けないと、頭部管２０の奥の水滴が溜まりやすい角の部分２２までガーゼなどがうまく届かず、水滴を十分に拭き取りにくい。また、頭部管２０の奥の部分には、反射板２３が設けられていて、その反射板２３は、合金製で、材質により音色が変わるくらい重要な部品であり、ネジ２４を回して吹鳴のために最適の位置に調整して設定されるものであるが、ガーゼなどが布片保持部２にうまく巻き付いていないと、掃除棒の堅い前端が反射板２３に直接当たって傷つける虞がある。なお、掃除棒１０には、反射板２３の位置を調整するためのゲージ線９が後端から１７ｍｍの箇所に刻まれている。
【０００５】
ところで、演奏時は、フルートのピッチ合わせのためおよび吹き込み口２１の最適角度設定のため、頭部管２０と胴部管（図示してない）を抜き差しおよび回転させて組合せ長さおよび組合せ角度を調整して最適状態に連結して使用しているので、掃除のために分解した後で演奏のために元の最適の連結状態にセットしなければならず、そのためにはピッチ合わせおよび角度調整の時間が必要となる。したがって、通常の掃除棒の場合、演奏の途中でそのような時間がとれない場合は、水滴が溜まっている可能性を心配しながら演奏を続行することも珍しくない。この点を改善する意味で、演奏者によっては、７０ｃｍを超える長さの掃除棒を特別注文で調達しておいて、演奏の途中でフルートを分解しないままで水滴の除去作業を行う者もある。さらに、中には、運搬の便のため、７０ｃｍを超える長尺の棒を半分の所で分けてネジで連結する構造のものを用意しておいて、使用する者もある。
【発明の開示】
【発明が解決しようとする課題】
【０００６】
この発明は、上述のような従来の掃除棒に見られた不具合を解消することを目的とし、使用に際して水滴拭き取り用の吸湿布を巻き付けやすく、かつ楽器管体内側の角部まで拭き取れるとともに、拭き取り作業中に楽器を傷つけないようなフルート用掃除棒を提供することを目的とする。
【課題を解決するための手段】
【０００７】
上記課題を解決するために、この発明のフルート用掃除棒は、棒状の本体部と、本体部の前端部に本体部の前端よりさらに延出させて嵌着した管状の布片把持体とを備えて、当該布片把持体を、軟質摩擦性ゴム製で管状の部材の前端を切り割り形状に形成して構成したものであり、布片把持体を吸湿布に押し当てて本体部を捻ることにより、布片把持体に吸湿布を絡ませて本体部の前端部付近に巻き付け、フルート管体内部に挿入して、掃除棒の長手軸の周りに回転させたり、長手軸の方向に前後に出し入れしたりして、使用するものである。また、吸湿布を外すときは、巻き付いた吸湿布を緩めるだけで簡単に外すことができるものである。
【０００８】
この発明のフルート用掃除棒は、フルートが組み立て連結された状態でフルートの管体内に挿入した場合に、掃除棒の前端がフルート頭部管内部の反射板に届いたときに、掃除棒の後端がフルート足部管の開口端から外に出るような長さに形成すると、フルートを連結したままで水滴拭き取りの掃除ができるので、好適である。
【０００９】
さらに、この発明のフルート用掃除棒は、フルートが組み立て連結された状態でフルートの管体内に挿入した場合に、掃除棒の前端がフルート頭部管内部の反射板に届いたときに、掃除棒の後端がフルート足部管の開口端から外に出る長さに形成するととともに、掃除棒の全体の長さを２分して、バヨネットピンを利用した差込回転掛止機構により連結可能な構造で、接続した状態で使用可能な構造とすると、フルートを連結したままで水滴拭き取りの掃除ができ、かつ運搬に便利であり、好適である。
【発明の効果】
【００１０】
この出願の発明によれば、フルートを掃除する際に、水滴拭き取り用の吸湿布を巻き付けやすく、楽器管体内側の角部まで拭き取れるとともに、拭き取り作業中に楽器を傷つけることが少なくなる。
【図面の簡単な説明】
【００１１】
【図１】従来のフルート用掃除棒の平面図である。
【図２】フルートの頭部管の吹き口近傍の部分断面正面図である。
【図３】この発明のフルート用掃除棒の一実施形態の平面図である。
【図４】この発明のフルート用掃除棒の他の実施形態の連結部の構造を示す部分平面図である。
【発明を実施するための形態】
【００１２】
以下に、この発明によるフルート用掃除棒の実施形態を、図面を参照しながら説明する。この発明のフルート用掃除棒の一実施形態を図３に示す。この実施形態によるフルート用掃除棒３０は、直径８ｍｍで全長３６ｃｍの細長の木材で出来た丸棒状の本体部３１の前端部に、当該前端部よりさらに延出させて、軟質摩擦性ゴムである軟質シリコンゴム製の管状部材（外径８ｍｍ、内径６ｍｍ）を嵌着し、管状部材の前端を切り割り形状３３に形成して布片把持体３２が構成されている。切り割り形状部３３の切り込み終端には、直径２ｍｍの応力分散用の小孔３３ａを設けてある。また、本体部３１の後端付近には、後端から１７ｍｍの箇所に反射板位置調整用のゲージ線３９が刻まれている。
【００１３】
この発明のフルート用掃除棒を使用する際には、切り割り形状部３３を有する軟質シリコンゴム製の布片把持体３２が嵌着された掃除棒３０の前端部分をガーゼなどの吸湿布に押し当てて、掃除棒３０の後端付近を指で捻って吸湿布を布片把持体３２に絡ませて前端部付近に巻き付けて、それをフルートの管体の中に押し入れて、回転させながら前後させて内部を掃除する。この場合、吸湿布を巻き付けるには、単に吸湿布に掃除棒３０の前端部を押し付けて捻るだけで、シリコンゴムの柔軟弾力性と表面摩擦により、簡単に吸湿布が掃除棒３０に巻き付く。また、吸湿布を掃除棒から外す場合も、孔に通してないので、簡単に外すことができる。
【００１４】
上記の実施形態では、掃除棒３０の長さを一般の掃除棒と同様の３６ｃｍとしたが、フルートを分解しないままで掃除するために、第２の実施形態として、掃除棒の長さを７０ｃｍの長尺に形成することもできる。掃除棒の長さを７０ｃｍにすると、分解しないままのフルートに、前端に吸湿布を絡ませた掃除棒を差し込んだ際に、前端が反射板の届いたところで、掃除棒の後端がフルートの足部管の開口端から１０ｃｍくらい外に出るので、手で握って掃除棒の操作をすることができる。
【００１５】
さらに、第３の実施形態として、長尺の掃除棒を略半分ずつに分けて、真ん中で連結する構造のものについて説明する。図４は、２分する場合の連結部分の構造を示し、一方では、直径８ｍｍで長さ３６ｃｍの細長の丸棒状の木材で製作した本体後部３１ｂの前端から２０ｍｍまでの部分を外径６ｍｍに細く加工し、この部分に外径７ｍｍ、内径６ｍｍで長さ２０ｍｍの黄銅製の中空内筒３４を嵌め、これに長手軸と垂直に外向きに突出するバヨネットピン３４ａを設け（黄銅製釘番手＃２０長さ５ｍｍを打ち込む）、他方では、直径８ｍｍで長さ３４ｃｍの細長の丸棒状の木製本体前部３１ａの後端から１５ｍｍまでの部分を外径７ｍｍに細く加工し、この部分に外径８ｍｍ、内径７ｍｍで長さ３５ｍｍの黄銅製の中空外筒３５を嵌め、これにＬ字形（Ｊ字形）のバヨネット溝３５ａを設けて、バヨネットピン３４ａとバヨネット溝３５ａを合わせて、内筒３４を外筒３５の中に差し込んで、本体前部３１ａと本体後部３１ｂとを摺動結合し回転掛止して両者を連結し、長尺にした状態で掃除棒として使用する。この２分式の掃除棒は、長尺に連結して使用すれば、フルートを分解しないままで掃除することができるし、通常行われるようにフルートを分解して掃除をする場合は、本体前部３１ａのみを使用して掃除することもできる。
【００１６】
以上に説明したこの発明によるフルート用掃除棒によれば、軟質摩擦性ゴムの柔軟弾性と表面摩擦により、使用に先立ってガーゼなどの吸湿布を簡単にうまく絡ませて巻き付けることができ、使用が終わった後で簡単に外すことができる。また、ガーゼなどの吸湿布が掃除棒の先端全体を覆うように絡み付くので、反射板を傷付ける虞がなく、かつ、掃除棒を反射板に向かって軽く押しつけると、軟質摩擦性ゴムの管状体３２の前端の切り割り形状部３３が横に曲がって、吸湿布が頭部管内向の角部の隅々まで届き、その周りの水滴を十分に除去することができる。
【００１７】
また、水滴除去作業中に掃除棒の前端が反射板に対して強く押し付けられるようなことがあっても、ガーゼなどの吸湿布が掃除棒の前端を覆って絡み付いているので、反射板を傷つける虞がないし、仮に掃除棒の前端を覆う吸湿布の厚みが十分でない場合でも、軟質摩擦性ゴム自体が柔軟で弾力性に富んでいるので、反射板に掻き傷を付ける虞がない。また、軟質摩擦性ゴムは、表面摩擦が大きいため、吸湿布が従来の掃除棒のように孔に通っていなくて、周りから絡み付いているだけでも、掃除作業中の引く操作（出し入れの「出す」操作）のときに吸湿布が不用意に管体内に取り残される可能性も少ない。さらに、バヨネット連結式の実施形態の場合、組立て分解が簡単に瞬時にできるので、実用性が非常に高い。なお、材料の軟質摩擦性ゴムの中でもシリコンゴムは、食品関連機器にも広く使用されている実績があり、食品衛生上も安全な材質である。
【要約】
【課題】使用に際して水滴拭き取り用の吸湿布を巻き付けやすく、かつ楽器管体内側の角部まで拭き取れるとともに、拭き取り作業中に楽器を傷つけないようなフルート用掃除棒を提供する。
【解決手段】フルート用掃除棒は、棒状の本体部と、本体部の前端部に本体部の前端よりさらに延出させて嵌着した管状で前端を切り割り形状にした軟質摩擦性ゴム製の布片把持体とを備えて構成されている。これにより、掃除棒の前端部分に吸湿布を簡単に巻き付けることができる。フルートの管体を接続したままで管体内部を掃除できる長さの棒状体で形成し、それを前後に２分して、バヨネット連結構造にすると、より便利である。
【選択図】図３【図１】
0005564597.tif 000002
【図２】
0005564597.tif 000003
【図３】
0005564597.tif 000004
【図４】
0005564597.tif 000005